(57)【要約】 【課題】          安静時に床上で安楽な姿勢を取りたい場合やその姿勢を身体状況に応じて変えたい場合に、身体の各部位に的確にあてがい支持し、その都度自分の好みに応じて自由に且つ即座に調整出来る安楽支持用具。【解決手段】        本発明は形状やサイズ、材質の異なる複数の座布団状の詰め物を収納袋内に重なるように装入し、全体を一体とした身体支持用具である。これにより収納袋内部の詰め物の位置や置き方を自由に調整して一体物としての形状を作り出し、得たい姿勢に合わせて身体の支持させたい部分にあてがう。従って思い通りの安楽な姿勢を保つことが可能となる。【選択図】        図２
2005270253.tif 000002
【特許請求の範囲】
【請求項１】
畳やカーペット等の床上で安楽な姿勢を取りたい際に身体の安定を得るために、腰部や背中部及び頭部等が自由に凭れ掛かれるよう内部に形状やサイズ、材質の異なる詰め物を複数枚装入し、外形を収納袋状に形成して該詰め物と併せ、一体化した安楽用身体支持用具。
【発明の詳細な説明】
【技術分野】
【０００１】
安静時において安楽な姿勢で身体を支持するための用具に関するものである。
【背景技術】
【０００２】
従来は安楽な姿勢を保つには布団、座布団、座椅子、クッションもしくは枕等の身体支持用具を利用していたが、身体の状況に応じてその都度思い通りの安楽な姿勢を自由に得ることが困難であった。
【発明の開示】
【発明が解決しようとする課題】
【０００３】
人間が畳もしくはカーペット等の床上で寛いだ姿勢を取りたい場合、疲労度等の状況に応じて上半身のみ一定の角度で起こす、横臥する、仰臥する等、又それらの姿勢を複合的に取りたいことが多々ある。更にそれらの安楽な姿勢を一時的に取り得たとしても、暫くすると筋肉の硬直、血行不良等からもっと楽になりたいと考え、それらの姿勢を別の姿勢に変える必要に迫られるものである。そのような時に座椅子を使用することがあるが、背凭れ角度を直線的に変化させるリクライニング装置の機構上、肘を背凭れ部分の特定の一点でしか支えられないために二の腕を置くスペースが取れず、その結果肘枕としての使用が出来ない等、自在に対処することが不可能であった。又姿勢を変えたい場合や複雑な複合的姿勢を取りたい場合でも座椅子固有の外部もしくは内部の骨格構造上、柔軟性に欠けるため一定の姿勢しか取れなかった。柔軟性のある座布団や枕、クッション等を単独もしくは複数枚を組み合わせて使用して一時的に安楽な姿勢を保てたとしても、それらの大きさや形状及び詰め物の材質が画一的なため、少しでも姿勢を変えると直ぐに形状が崩れたり、身体からずれたりして思い通りの姿勢を継続的に維持することが出来なかった。本発明はこれらの課題を解決するものである。
【課題を解決するための手段】
【０００４】
取りたい姿勢に適合させるため、形状や材質、サイズの異なる複数の詰め物を重ね合わせた状態で収納袋の中に装入し、適宜自由に選択したり、位置を組み合わせたりして調整し、該収納袋と合わせ全体を一体の身体支持用具として腰部や背中部及び首部や頭部等にあてがって安楽で快適な姿勢を得る。
【発明の効果】
【０００５】
収納袋内部に収納した形状やサイズ、材質の異なる各種の詰め物を自分の取りたい姿勢に適合すべく選択し、自由にその位置を調整したり組み合わせたりして身体を支持させることにより任意の安定した安楽な姿勢を継続して得ることが可能となる。又、該詰め物はただ単に重ね合わせた状態であるため、随時姿勢を変えたい場合でも即座に収納袋の外側から該詰め物を自由に任意の位置に変更することにより、その都度思い通りの形状を作り出せるため、簡単に安楽な姿勢に変え得る支持用具として快適なひと時を過ごすことが何時でも可能となる。
【発明を実施するための最良の形態】
【０００６】
収納袋は身体に快適な柔らかい布状の素材を用い、内部の複数の詰め物が崩れないよう全体を一体として機能するように外殻形成をする。該詰め物の入れ替えや洗濯のための出し入れが出来るように該収納袋の一部にファスナー等で開口部を設ける。該収納袋の底面に当たる部分には滑り止めの加工をすることも良い。該詰め物の材質としては身体を快適に支持できるよう適度な固さがあるものを、又形状としては座布団状のものを用い、該詰め物が互いに滑って型崩れをおこさないようにある程度摩擦力のある布状の素材で内包する。又種々の組み合わせが出来るようにサイズの異なるものを複数枚収納し、該収納袋と併せ一体の身体支持用具とする。使用方法としては、自分の取りたい姿勢に合わせ、収納袋の外側から該詰め物の種類や位置、置き方を変えて適宜調整する。その結果、自分の好みの高さの枕や、横臥した際の肘枕としても機能させることが可能となる。その他身体状況に応じて、該詰め物の種類やサイズを応用的に選択したり、組み合わせたり、あるいは置き方を調整することにより、任意の姿勢を自由に得ることが出来る。従って、自分の好みに応じて、多数の組み合わせから適宜最適の選択、調整方法を取ることが可能となる。
【実施例１】
【０００７】
本発明の構造の一例を側面断面図１で示す。座布団を半分にしたサイズの長方形で材質は座布団状の詰め物２と形状、サイズ、材質共に座布団状の詰め物３Ａ及び詰め物３Ａと同様の詰め物３Ｂを収納袋１の内部に下から順番に重ねて装入し、収納袋と合わせて一体の身体支持用具とする。
【０００８】
使用方法の例として、身体上半身９を床上から直角程度起こした状態で使用する場合を側面断面図２で示す。詰め物３Ｂは臀部５にあてがうように置き、詰め物３Ａは腰部６にあてがうように置く。詰め物２は背中部７にあてがうため立てて高くなるように置く、これを上方から俯瞰した場合、平面図７に示してある通りとなる。
【０００９】
同様に身体上半身９を４５度程度起こした状態で使用する場合を側面断面図３で示す。詰め物２と詰め物３Ａを共に腰部６にあてがうように置き、詰め物３Ｂは臀部５にあてがうように置き、身体上半身９を支持する。この時詰め物２及び詰め物３Ａは腰部６にあてがうよう同一の位置上に重ね、詰め物３Ｂからやや後方にずらして置く。
【００１０】
同じく身体上半身９を３０度程度起こした状態で使用する場合を側面断面図４で示す。詰め物２を背中部７にあてがうように置き、詰め物３Ａを腰部６にあてがうように置き、同様に詰め物３Ｂも臀部５にあてがうように置き、身体上半身９を支持する。この時詰め物３Ａは詰め物３Ｂからやや後方にずらして置き又詰め物２も同様に詰め物３Ｂからやや後方にずらして置く。
【００１１】
身体を仰臥し、枕として使用したい場合の一例を側面断面図５で示す。詰め物３Ａと詰め物３Ｂは互いに同一位置上で重なるように頭部８の下に置いて枕として頭部８を支持する。詰め物２はこの場合使用しないので上方から俯瞰して見た平面図９に示してある通り、頭部８から外れるように後方にずらして横置きにする。
【００１２】
身体を横臥して片肘枕として使用したい場合を側面断面図６で示す。詰め物３Ａと詰め物３Ｂを重ねるように同一位置上に置いて肘及び二の腕部１０を支持し肘枕とする。詰め物２はこの場合使用しないので上方から俯瞰した平面図８に示してある通り、肘部１０に邪魔にならないように９０度回転させて詰め物３Ａの片半分に置く。      
【図面の簡単な説明】
【００１３】
【図１】構造を示す側面断面図
【図２】使用状態を示す側面断面図
【図３】使用状態を示す側面断面図
【図４】使用状態を示す側面断面図
【図５】使用状態を示す側面断面図
【図６】使用状態を示す平面図
【図７】使用状態を示す平面図
【図８】使用状態を示す平面図
【図９】使用状態を示す平面図
【００１４】
１収納袋
２詰め物
３Ａ詰め物
３Ｂ詰め物
４ファスナー開口部
５臀部
６腰部
７背中部
８頭部
９身体上半身
１０肘及び二の腕部
【図１】
2005270253.tif 000003
【図２】
2005270253.tif 000004
【図３】
2005270253.tif 000005
【図４】
2005270253.tif 000006
【図５】
2005270253.tif 000007
【図６】
2005270253.tif 000008
【図７】
2005270253.tif 000009
【図８】
2005270253.tif 000010
【図９】
2005270253.tif 000011